(57)【要約】【課題】　本発明はマスカラ、リップグロス、アイシャドウ、歯科または口腔保護物質、軟膏剤等のペースト状物質の容器に使用されるワイパを提供する。【解決手段】　容器へのアクセスを可能にする首部を有する中空容器、前記首部から前記容器へ突出するアプリケータ、および前記容器の首部内に設置されたワイパを有し、前記ワイパは拭取り端部および開放端部を有する中空ハウジング、および各々が蝶番により前記拭取り端部へ連結された２つ以上のフラップを有し、前記フラップの各々は前記アプリケータが前記容器から引抜かれるときの第一スクラップ位置および前記アプリケータが前記容器へ戻されるときの第二非スクラップ位置間で前記アプリケータによって枢軸回転する、ペースト状物質用包装容器。【選択図】　　図２
2004000710.tif 000002
【特許請求の範囲】
【請求項１】
　容器へのアクセスを可能にする首部を有する中空容器、
　前記首部から前記容器へ突出するアプリケータ、および
　前記容器の首部内に設置されたワイパを有し、
　前記ワイパは拭取り端部および開放端部を有する中空ハウジング、および各々が蝶番により前記拭取り端部へ連結された２つ以上のフラップを有し、
　前記フラップの各々は前記アプリケータが前記容器から引抜かれるときの第一スクラップ位置および前記アプリケータが前記容器へ戻されるときの第二非スクラップ位置間で前記アプリケータによって枢軸回転する、ペースト状物質用包装容器。
【請求項２】
　前記ワイパは天然または合成ゴムにより形成されている、請求項１の包装容器。
【請求項３】
　前記ワイパはサントプレン、ネオプレン、ブチルゴム、ニトリルゴムまたはシリコーンゴムにより形成されている、請求項１の包装容器。
【請求項４】
　前記ワイパは可撓性プラスチック材料により形成されている、請求項１の包装容器。
【請求項５】
　前記ワイパはポリエチレン、ポリプロピレン、またはその混合物により形成されている、請求項４の包装容器。
【請求項６】
　２以上の前記フラップは合致して、過剰物質をアプリケータから引掻くことのできる開口部を形成するように構成されている、請求項１の包装容器。
【請求項７】
　前記中空ハウジングの拭取端部は前記アプリケータが前記容器から引抜かれるときに第一スクラップ位置において前記フラップと係合しかつ前記フラップを保持するストッパを有する、請求項１の包装容器。
【請求項８】
　前記フラップの各々は１つ以上の貫通孔を有する、請求項１の包装容器。
【発明の詳細な説明】
【技術分野】
【０００１】
　本発明はマスカラまたは類似ペースト状物質を収容する化粧品包装容器用のワイパに関する。更に詳細には、本発明は容器から取り出した後にのみアプリケータ（塗布具）からの過剰物質の拭取りを可能にし、それにより使用後に容器へアプリケータを挿入するとき
に容器の首部内への物質の堆積を解消する。
【背景技術】
【０００２】
　マスカラ等の化粧品は、通常、容器へ突出しかつ容器キャップの下側へ固定されたアプリケータ付きの容器に入れて販売される。毛または歯等の半径方向突起物が化粧品をその上に付けるためにアプリケータ上に設けられ、かつアプリケータ用ワイパは容器の首部に
より支持される。このワイパは典型的にはゴム、または同様の可撓性プラスチック材料により形成され、拭取り端部には毛の先端で測定してブラシの最少直径よりも小さい直径の開口部が穿孔されており、それによりその開口部のまわりのリップ部はブラシを容器から
引出すときにブラシ上で拭取り作用をする。このタイプのワイパに付随する問題はブラシが容器から引出されるときと同様に、容器へ設置されるときにも拭取られることである。容器へ戻すときのブラシの拭取りは、ブラシが通過する開口部が固定された直径を有して
いて拭取りを伴うことなく容器へブラシを侵入させる程に充分に撓まないことによる。容器へ導入するときのブラシの拭取りは、容器の首部への物質の連続的付着に繋がり、かつ結果的に容器の首部およびキャップの内側が物質で覆われることになる。一旦これが生じ
ると、物質で手を汚すことなく容器を使用することができなくなる。
【発明の開示】
【０００３】
　本発明は、アプリケータを容器から引抜くときに過剰物質のアプリケータからの拭取りを可能にし、かつアプリケータを容器へ戻すときには拭取らないことにより容器の首部内における物質の付着を解消する化粧品用ワイパを提供する。
【０００４】
　本発明は、更に、消費者による使用が簡単なワイパを提供する。
【０００５】
　更に、本発明は現存包装容器を殆どまたは全く変更することなく使用できるワイパを提供する。
【０００６】
　本発明はマスカラ、リップグロス、アイシャドウ、歯科または口腔保護物質、軟膏剤等のペースト状物質のための容器に使用するワイパを提供し、このワイパは、アプリケータを容器から引抜くときにアプリケータから過剰物質の拭取りを可能にするが、アプリケータを容器へ戻すときにアプリケータを拭取らない。本発明のワイパは、アプリケータが容器から引抜かれるときに第一スクラップ位置に着き、かつアプリケータが容器へ戻されるときに第二非スクリップ位置に着く２以上のフラップから成る。
【０００７】
　前記フラップの非スクリップ位置は拭取りをすることなく容器へアプリケータを設置する。この特徴は容器の首部内における物質の堆積を減少し、それにより使用する消費者に清潔、美的に心地よい包装容器を提供する。
【０００８】
　本発明の他の課題および特徴は図面を参照して説明する実施形態からより良く理解されるであろう。
【０００９】
　図１を参照すると、本発明のワイパの一形態が示されている。説明の目的から、本発明はマスカラ包装容器に関して使用されるものとして説明される。この例は、単に解説のためであって本発明をマスカラに限定するものでない。当業者には、本開示を、リップグロ
ス、アイシャドウ、リップバルム、コンシール、ヘアマスカラ等を非限定的に含むペースト状物質の使用にいかに適合させるかは明らかであろう。
【００１０】
　図１に示されたようにマスカラ包装容器は、概ね容器１、該容器を閉鎖するためのキャップ２、およびアプリケータ３から成り、このアプリケータはキャップ２の下側にロッド４により取付けられていて該容器へ突出する。容器１は容器１の一端部から軸方向へ延在
する首部５を有し、この首部５は容器１の収容物へのアクセスを可能にする。首部５の外壁は該容器へ該キャップを取付ける手段を有する。好適には、図示されたように、キャップ２を容器１の首部５へ取付ける手段は首部５の外壁上およびキャップ２の内壁７上に形
成された一対の対向ねじで構成される。キャップを容器首部へ取付ける他の手段は既知でありかつ、例えばスナップ閉鎖またはラグ型閉鎖等と同一結果を伴って使用できる。
【００１１】
　１つの実施形態において、本発明のワイパ１０は首部５の内壁８（図２に拡大詳細図により示されている）に沿って設置される。ワイパ１０は、天然ゴムまたは例えばサントプレン（santoprene)、ネオプレン、ブチルゴム、ニトリルゴム、シリコーンゴム等の合成
ゴム材料、またはポリエチレン、ポリプロピレン、それらの混合物等の可撓性プラスチック材料、もしくは同様の弾性材料により形成できる。ワイパ１０は長手貫通孔を有するハウジング１１を含み、このハウジングの一端部、即ち、容器開口部に近い端部は開放端部
であり、かつ容器の開口部に遠い反対端部は拭取り端部である。好適には、ハウジング１１は円筒形である。
【００１２】
　２つ以上のフラップ１２が前記ハウジングのワイパ端部に連結されている。図４Ａおよび４Ｂから理解されるように、フラップ１２の数量に関係なく、各フラップ１２は一体蝶番１３によりハウジング１１へ連結されている。一体蝶番１３はフラップ１２を第一スク
ラップ位置および第二非スクラップ位置（図１Ａおよび１Ｂに示されている）に着かせる。一体蝶番１３はハウジング１１およびフラップ１２と同一可撓性材料により従来射出成形法により形成されてよい。ただし、好適には、一体蝶番１３はハウジング１１およびフ
ラップ１２と異なる材料により形成される。二重（ｂｉ）射出成形法により形成される。即ち、ハウジング１１およびフラップ１２の成形時に、該ハウジングおよびフラップの各々について異なる材料、例えば該ハウジングをポリエチレンで、かつ該フラップをニトリ
ルゴムで同時に射出成形し、かつその材料の冷却時に共に結合する。一体蝶番１３の寸法は使用材料および一体蝶番１３に必要とされる所望量の可撓性に依存する。例えば、使用されるブラシが相対的にソフトな剛毛である場合に、一体蝶番１３はブラシの毛にワイパ
動作を付与することなく該フラップの軸回転を可能にすることのできる可撓性を有することを必要とする。該ブラシが相対的に硬い場合には、該ブラシの剛性が該フラップの軸回転を促進するので一体蝶番１３は可撓性である必要はない。
【００１３】
　フラップ１２はロッド４およびアプリケータ３の通過を可能にする寸法であると同時に、ロッド４およびアプリケータ３から過剰物質の除去を可能にする。これを達成するために、フラップ１２は、図１Ａ、２、４Ａおよび４Ｂから理解されるように、スクラップ位置に着くときに合致して開口部１４を形成する。好適には、開口部１４は円形である。ただし、開口部１４の形状は、過剰物質が所定パタンーンで引掻くことのできる形状であればよい。例えば、開口部１４が星形である場合、過剰物質を内側へ窪んだ星形部分により相対的に多く引掻くであろうし、また外側に突出した星形部分では相対的に少なく引掻くことになる。アプリケータを容器から引抜くときに、フラップにより該アプリケータ上にワイパ動作を付与するために、開口部１４の直径は毛の先端の測定でブラシの最少直径よりも小さい。好適には、開口部１４はアプリケータを容器から引抜くときに、ロッド４と係合できる直径であるが、ロッド４の抜去を阻害する程小さくない。
【００１４】
　図１Ａおよび１Ｂに示されたように、ワイパ１０の作用は簡単である。アプリケータ３を容器１から引抜くときに、ロッド４およびアプリケータ３がワイパ１０のフラップ１２と係合する。次に、フラップ１２がストッパ１５と係合し、ストッパがフラップ１２をワ
イパ位置に保持する。ストッパ１５はハウジングの拭取り端部であってよく、また、ストッパ１５は好適には図３に示されたように内方へ突出するＶ形部として形成される。内方へ突出するＶ形部の採用はより広い表面による拭取り位置におけるフラップの保持を可能
にする。
【００１５】
　アプリケータ３が容器１へ戻されるときに、アプリケータ３はフラップ１２と接触し、かつフラップ１２は一体蝶番１３を中心に回転して図１Ｂに示されたように非スクラップ位置に着く。このようにして、消費者は従来マスカラ包装容器と同様方法によりアプリケ
ータ３を容器１へ戻すことができる。ただし、従来マスカラ包装容器は、拭取りをしないで容器へブラシを戻すことのできる、可撓性を有しない、固定された直径での拭取り動作を行うワイパを有する。これと対照的に、本発明のワイパ１０は固定された直径の拭取り
動作をしない。本発明のワイパは、アプリケータを容器１から取り出すときにアプリケータ３の引掻きを可能にする開口部１４を形成する蝶番止めされたフラップ１２を有し、かつこのフラップ１２は一体蝶番１３を中心に回転してアプリケータ３を容器１へ戻すとき
にアプリケータ３に対する引掻きが生じない寸法まで開放する。
【００１６】
　他の実施形態において、図２および３から理解されるように、フラップ１２は１つ以上の孔１６を有する。消費者がその物質の塗布後にアプリケータ３を容器１へ反復的に挿入するときに、非スクラップ位置におけるアプリケータ３とフラップ１２との間の偶発的接
触はその物質のいくらかの残渣量をフラップの上側から擦り取る。時間の経過により、この物質の残渣量は堆積してフラップの動作を干渉することになる。孔１６はその物質の容器への通過を可能にし、それによりその物質のアプリケータによるピックアップおよび消
費者による使用を可能にする。
【００１７】
　他の実施形態において、上記ワイパのフラップは容器の内壁へ直接取付けられる。容器およびフラップをこのようにして形成するために、フラップは直接的に容器と共に射出成形される。このフラップは容器の開口部と物質用の保存室との間で容器内に設置される。
【００１８】
　好適には、該フラップは容器の開口部近傍に設置され、それにより相対的に大きい保存室がその物質に提供できる。該フラップが容器の内壁へ取付けられるときに、該フラップは、上述のごとく容器の首部へ挿入された分離ワイパの一体部である場合と同様に動作する。アプリケータが容器から取り出されるときに、フラップは過剰物質を引掻き、アプリケータが容器へ戻されるときに、フラップは蝶番を中心に回転して非スクラップ位置へ移動してアプリケータの通過を可能にする。
【００１９】
　このワイパの利点は、その使用が容器の首部内の物質の堆積を減少し、それにより清楚で美的に心地よい包装を使用消費者に提供する。
【００２０】
　本発明およびその広義の特徴は図示例に限定されず、種々の変更が本発明の範囲において当業者に示唆されるであろう。
【図面の簡単な説明】
【００２１】
【図１】図１Ａおよび１Ｂは化粧品包装容器内に使用されている本発明のワイパの断面図である。
【図２】図２は本発明のワイパの断面図である。
【図３】図３は図２のＡ−Ａ線に沿ってとった断面図である。
【図４Ａ】図４Ａは２つのフラップを示す本発明のワイパの底面図である。
【図４Ｂ】図４Ｂは４つのフラップを示す本発明のワイパの底面図である。
【図１】
2004000710.tif 000003
【図２】
2004000710.tif 000004
【図３】
2004000710.tif 000005
【図４Ａ】
2004000710.tif 000006
【図４Ｂ】
2004000710.tif 000007